(57)【要約】無線通信に関する効率的なフレーム構造を提供することが開示され、フレームのダウンリンクサブフレームにおいて第１および第２エアインタフェースを周波数分割多重（ＦＤＭ）することを含んでもよく、フレームのアップリンクサブフレームにおいて第１および第２エアインタフェースを時分割多重（ＴＤＭ）することもまた含んでもよい。
2011504068.tif 000002
【特許請求の範囲】
【請求項１】
フレームのダウンリンクサブフレームにおいて第１および第２エアインタフェースを周波数分割多重（ＦＤＭ）し、前記フレームのアップリンクサブフレームにおいて前記第１および第２エアインタフェースを時分割多重（ＴＤＭ）する少なくとも１つのプロセッサと、
前記少なくとも１つのプロセッサと接続されるメモリと、を具備する無線通信に関する効率的なフレーム構造を提供する装置。
【請求項２】
前記少なくとも１つのプロセッサは、前記ダウンリンクサブフレーム中に、第１および第２周波数帯で前記第１および第２エアインタフェースをそれぞれ周波数分割多重する請求項１の装置。
【請求項３】
前記第２周波数帯は、前記第１周波数帯のサイズの２倍である請求項２の装置。
【請求項４】
前記少なくとも１つのプロセッサは、前記アップリンクサブフレームの第１および第２時間間隔において前記第１および第２エアインタフェースをそれぞれ時分割多重する請求項１の装置。
【請求項５】
前記少なくとも１つのプロセッサは、前記ダウンリンクサブフレーム中に、第１および第２周波数帯で前記第１および第２エアインタフェースをそれぞれ周波数分割多重し、前記アップリンクサブフレームの第１および第２時間間隔において前記第１および第２エアインタフェースをそれぞれ時分割多重し、前記アップリンクサブフレームの前記第１時間間隔中に、前記第１エアインタフェースに関する前記第１周波数帯のみを利用し、前記アップリンクサブフレームの前記第２時間間隔中に前記第２エアインタフェースに関する前記第１および第２周波数帯を利用する請求項１の装置。
【請求項６】
前記少なくとも１つのプロセッサは、前記第１および第２エアインタフェースに関する前記ダウンリンクに関して１つの周波数再利用を利用し、前記第１エアインタフェースに関する前記アップリンクに関して１より大きい周波数再利用を利用し、前記第２エアインタフェースに関する前記アップリンクに関して１つの周波数再利用を利用する請求項１の装置。
【請求項７】
前記第１エアインタフェースは、ＩＥＥＥ８０２．１６ｅであり、前記第２エアインタフェースは、ＩＥＥＥ８０２．１６ｅより後のＩＥＥＥ８０２．１６規格である請求項１の装置。
【請求項８】
前記フレームは、前記ダウンリンクサブフレームがあり、続いてＩＥＥＥ８０２．１６ｅに関する前記第１時間間隔があり、続いてＩＥＥＥ８０２．１６ｍに関する前記第２時間間隔を具備する請求項７の装置。
【請求項９】
前記フレームは、前記ダウンリンクサブフレームがあり、続いてＩＥＥＥ８０２．１６ｍの前記第２時間間隔があり、続いてＩＥＥＥ８０２．１６ｅの前記第１時間間隔を具備する請求項１の装置。
【請求項１０】
フレームのダウンリンクサブフレームにおいて第１および第２エアインタフェースを周波数分割多重（ＦＤＭ）し、
前記フレームのアップリンクサブフレームにおいて前記第１および第２エアインタフェースを時分割多重（ＴＤＭ）することを具備する無線通信に関する効率的なフレーム構造を提供する方法。
【請求項１１】
前記周波数分割多重することは、前記ダウンリンクサブフレーム中に、第１および第２周波数帯で前記第１および第２エアインタフェースをそれぞれ周波数分割多重することを具備し、
前記時分割多重することは、前記アップリンクサブフレームの第１および第２時間間隔において前記第１および第２エアインタフェースをそれぞれ時分割多重することを具備する請求項１０の方法。
【請求項１２】
前記アップリンクサブフレームの前記第１時間間隔中に前記第１エアインタフェースに関する前記第１周波数帯のみを利用し、
前記アップリンクサブフレームの前記第２時間間隔中に前記第２エアインタフェースに関する前記第１および第２周波数帯を利用することをさらに具備する請求項１１の方法。
【請求項１３】
前記第１および第２エアインタフェースに関する前記ダウンリンクに関して１つの周波数再利用を利用し、
前記第１エアインタフェースに関する前記アップリンクに関して１より大きい周波数再利用を利用し、
前記第２エアインタフェースに関する前記アップリンクに関して１つの周波数再利用を利用することをさらに具備する請求項１０の方法。
【請求項１４】
フレームのダウンリンクサブフレームにおいて第１および第２エアインタフェースを周波数分割多重（ＦＤＭ）する手段と、
前記フレームのアップリンクサブフレームにおいて前記第１および第２エアインタフェースを時分割多重（ＴＤＭ）する手段と、を具備する無線通信に関する効率的なフレーム構造を提供する装置。
【請求項１５】
周波数分割多重する前記手段は、前記ダウンリンクサブフレーム中に、第１および第２周波数帯で前記第１および第２エアインタフェースをそれぞれ周波数分割多重する手段を具備し、
時分割多重する前記手段は、前記アップリンクサブフレームの第１および第２時間間隔において前記第１および第２エアインタフェースをそれぞれ時分割多重する手段を具備する請求項１４の装置。
【請求項１６】
前記アップリンクサブフレームの前記第１時間間隔中に、前記第１エアインタフェースに関する前記第１周波数帯のみを利用する手段と、
前記アップリンクサブフレームの前記第２時間間隔中に前記第２エアインタフェースに関する前記第１および第２周波数帯を利用する手段と、をさらに具備する請求項１５の装置。
【請求項１７】
前記第１および第２エアインタフェースに関する前記ダウンリンクに関して１つの周波数再利用を利用する手段と、
前記第１エアインタフェースに関する前記アップリンクに関して１より大きい周波数再利用を利用する手段と、
前記第２エアインタフェースに関する前記アップリンクに関して１つの周波数再利用を利用する手段と、をさらに具備する請求項１４の装置。
【請求項１８】
命令を有するコンピュータ読み取り可能な媒体を具備するコンピュータプログラム製品であって、前記命令は、
少なくとも１つのコンピュータに、フレームのダウンリンクサブフレームにおいて第１および第２エアインタフェースを周波数分割多重（ＦＤＭ）させるコードと、
前記少なくとも１つのコンピュータに、前記フレームのアップリンクサブフレームにおいて前記第１および第２エアインタフェースを時分割多重（ＴＤＭ）させるコードと、を具備するコンピュータプログラム製品。
【請求項１９】
ダウンリンクサブフレームにおいて第１周波数帯で第１ダウンリンク伝送を送り、アップリンクサブフレームの第１時間間隔において前記第１周波数帯での第１アップリンク伝送を受け取る少なくとも１つのプロセッサと、前記第１ダウンリンク伝送および前記第１アップリンク伝送は第１エアインタフェースを利用し、前記第１エアインタフェースは、前記ダウンリンクで第２エアインタフェースと周波数分割多重（ＦＤＭ）され、前記アップリンクで前記第２エアインタフェースと時分割多重（ＴＤＭ）され、
前記少なくとも１つのプロセッサと接続されるメモリと、を具備する無線通信に関する効率的なフレーム構造を提供する装置。
【請求項２０】
前記少なくとも１つのプロセッサは、前記ダウンリンクサブフレームにおいて第２周波数帯で第２ダウンリンク伝送を送り、前記アップリンクサブフレームの第２時間間隔において前記第１および第２周波数帯で第２アップリンク伝送を受け取り、前記第２ダウンリンク伝送および前記第２アップリンク伝送は、前記第２エアインタフェースを利用する請求項１９の装置。
【請求項２１】
前記第１周波数帯は、前記ダウンリンクサブフレーム中に、前記第２エアインタフェースに基づくダウンリンク伝送のために少なくとも１つの隣接セクタによって用いられる請求項１９の装置。
【請求項２２】
前記第１周波数帯は、前記アップリンクサブフレームの前記第１時間間隔中に、アップリンク伝送のために任意の隣接セクタによって用いられない請求項１９の装置。
【請求項２３】
前記第２周波数帯は、前記ダウンリンクサブフレーム中に、前記第１エアインタフェースに基づくダウンリンク伝送のために少なくとも１つの隣接セクタによって用いられる請求項２０の装置。
【請求項２４】
前記第１および第２周波数帯は、前記アップリンクサブフレームの前記第２時間間隔中に、前記第２エアインタフェースに基づくアップリンク伝送のために少なくとも１つの隣接セクタによって用いられる請求項２０の装置。
【請求項２５】
前記第１エアインタフェースは、ＩＥＥＥ８０２．１６ｅであり、前記第２エアインタフェースは、ＩＥＥＥ８０２．１６ｅより後のＩＥＥＥ８０２．１６規格である請求項１９の装置。
【請求項２６】
ダウンリンクサブフレームにおいて第１周波数帯で第１ダウンリンク伝送を送り、
アップリンクサブフレームの第１時間間隔において前記第１周波数帯での第１アップリンク伝送を受け取ることを具備し、前記第１ダウンリンク伝送および前記第１アップリンク伝送は第１エアインタフェースを利用し、前記第１エアインタフェースは、前記ダウンリンクで第２エアインタフェースと周波数分割多重（ＦＤＭ）され、前記アップリンクで前記第２エアインタフェースと時分割多重（ＴＤＭ）される無線通信に関する効率的なフレーム構造を提供する方法。
【請求項２７】
前記ダウンリンクサブフレームにおいて第２周波数帯で第２ダウンリンク伝送を送り、
前記アップリンクサブフレームの第２時間間隔において前記第１および第２周波数帯で第２アップリンク伝送を受け取ることをさらに具備し、前記第２ダウンリンク伝送および前記第２アップリンク伝送は、前記第２エアインタフェースを利用する請求項２６の方法。
【請求項２８】
ダウンリンクサブフレームにおいて第１周波数帯で第１ダウンリンク伝送を送る手段と、
アップリンクサブフレームの第１時間間隔において前記第１周波数帯での第１アップリンク伝送を受け取る手段と、を具備し、前記第１ダウンリンク伝送および前記第１アップリンク伝送は第１エアインタフェースを利用し、前記第１エアインタフェースは、前記ダウンリンクで第２エアインタフェースと周波数分割多重（ＦＤＭ）され、前記アップリンクで前記第２エアインタフェースと時分割多重（ＴＤＭ）される無線通信に関する効率的なフレーム構造を提供する装置。
【請求項２９】
前記ダウンリンクサブフレームにおいて第２周波数帯で第２ダウンリンク伝送を送る手段と、前記アップリンクサブフレームの第２時間間隔において前記第１および第２周波数帯で第２アップリンク伝送を受け取る手段と、をさらに具備し、前記第２ダウンリンク伝送および前記第２アップリンク伝送は、前記第２エアインタフェースを利用する請求項２８の装置。
【請求項３０】
命令を有するコンピュータ読み取り可能な媒体を具備するコンピュータプログラム製品であって、前記命令は、
少なくとも１つのコンピュータに、ダウンリンクサブフレームにおいて第１周波数帯で第１ダウンリンク伝送を送らせるコードと、
前記少なくとも１つのコンピュータに、アップリンクサブフレームの第１時間間隔において前記第１周波数帯での第１アップリンク伝送を受け取らせるコードと、を具備し、前記第１ダウンリンク伝送および前記第１アップリンク伝送は第１エアインタフェースを利用し、前記第１エアインタフェースは、前記ダウンリンクで第２エアインタフェースと周波数分割多重（ＦＤＭ）され、前記アップリンクで前記第２エアインタフェースと時分割多重（ＴＤＭ）されるコンピュータプログラム製品。
【請求項３１】
ダウンリンクサブフレームにおいて第１周波数帯で第１ダウンリンク伝送を受け取り、アップリンクサブフレームの第１時間間隔において前記第１周波数帯でアップリンク伝送を送る少なくとも１つのプロセッサと、前記第１ダウンリンク伝送および前記第１アップリンク伝送は第１エアインタフェースを利用し、前記第１エアインタフェースは、前記ダウンリンクで第２エアインタフェースと周波数分割多重（ＦＤＭ）され、前記アップリンクで前記第２エアインタフェースと時分割多重（ＴＤＭ）され、
前記少なくとも１つのプロセッサと接続されるメモリと、を具備する無線通信に関する効率的なフレーム構造を提供する装置。
【請求項３２】
前記少なくとも１つのプロセッサは、前記アップリンクで前記第１および第２エアインタフェースの前記時分割多重を明らかにするために、より高い送信電力で前記アップリンク伝送を送る請求項３１の装置。
【請求項３３】
前記第１および第２エアインタフェースは、前記アップリンクサブフレームの第１および第２時間間隔において、それぞれ時分割多重され、
前記少なくとも１つのプロセッサは、前記第１エアインタフェースに関する前記第１時間間隔の継続期間および前記アップリンクサブフレームの継続期間に基づいて決定されるファクタによって、前記アップリンク伝送の送信電力を高める請求項３１の装置。
【請求項３４】
前記第１エアインタフェースはＩＥＥＥ８０２．１６ｅである請求項３１の装置。
【請求項３５】
前記第１エアインタフェースは、ＩＥＥＥ８０２．１６ｅより後のＩＥＥＥ８０２．１６規格である請求項３１の装置。
【請求項３６】
ダウンリンクサブフレームにおいて第１周波数帯でダウンリンク伝送を受け取り、
アップリンクサブフレームの第１時間間隔において前記第１周波数帯でのアップリンク伝送を送ることを具備し、前記第１ダウンリンク伝送および前記第１アップリンク伝送は第１エアインタフェースを利用し、前記第１エアインタフェースは前記ダウンリンクで第２エアインタフェースと周波数分割多重（ＦＤＭ）され、前記アップリンクで前記第２エアインタフェースと時分割多重（ＴＤＭ）される無線通信に関する効率的なフレーム構造を提供する方法。
【請求項３７】
ダウンリンクサブフレームにおいて第１周波数帯でダウンリンク伝送を受け取る手段と、
アップリンクサブフレームの第１時間間隔において前記第１周波数帯でのアップリンク伝送を送る手段と、を具備し、前記第１ダウンリンク伝送および前記第１アップリンク伝送は第１エアインタフェースを利用し、前記第１エアインタフェースは、前記ダウンリンクで第２エアインタフェースと周波数分割多重（ＦＤＭ）され、前記アップリンクで前記第２エアインタフェースと時分割多重（ＴＤＭ）される無線通信に関する効率的なフレーム構造を提供する装置。
【請求項３８】
命令を有するコンピュータ読み取り可能な媒体を具備するコンピュータプログラム製品であって、前記命令は、
少なくとも１つのコンピュータに、ダウンリンクサブフレームにおいて第１周波数帯でダウンリンク伝送を受け取らせるコードと、
前記少なくとも１つのコンピュータに、アップリンクサブフレームの第１時間間隔において前記第１周波数帯でのアップリンク伝送を送らせるコードと、を具備し、前記第１ダウンリンク伝送および前記第１アップリンク伝送は第１エアインタフェースを利用し、前記第１エアインタフェースは、前記ダウンリンクで第２エアインタフェースと周波数分割多重（ＦＤＭ）され、前記アップリンクで前記第２エアインタフェースと時分割多重（ＴＤＭ）されるコンピュータプログラム製品。
【請求項３９】
フレームのダウンリンクサブフレームにおいて第２セルと周波数分割多重（ＦＤＭ）される第１セルに関するダウンリンク伝送を送り、前記フレームのアップリンクサブフレームにおいて前記第２セルと時分割多重（ＴＤＭ）される前記第１セルに関するアップリンク伝送を受け取る少なくとも１つのプロセッサと、
前記少なくとも１つのプロセッサに接続されたメモリと、を具備する無線通信に関して効率的なフレーム構造を提供する装置。
【請求項４０】
前記少なくとも１つのプロセッサは、前記第２セルが、前記ダウンリンクサブフレーム中に第２周波数帯で動作しながら、前記ダウンリンクサブフレーム中に第１周波数帯での前記第１セルに関する前記ダウンリンク伝送を送る請求項３９の装置。
【請求項４１】
前記少なくとも１つのプロセッサは、前記第２セルが、前記アップリンクサブフレームの第２時間間隔において動作しながら、前記アップリンクサブフレームの第１時間間隔における前記第１セルに関する前記アップリンク伝送を受け取る請求項３９の装置。
【請求項４２】
前記第１および第２セルは、前記ダウンリンクサブフレーム中に、第１および第２周波数帯でそれぞれ周波数分割多重化され、
前記第１および第２セルは、前記アップリンクサブフレームの、第１および第２時間間隔においてそれぞれ時分割多重され、
前記第１セルは、前記アップリンクサブフレームの前記第１時間間隔中に前記第１周波数帯のみを利用し、
前記第２セルは、前記アップリンクサブフレームの前記第２時間間隔中に前記第１および第２周波数帯を利用する請求項３９の装置。
【請求項４３】
前記第１セルはマクロセルであり、前記第２セルはフェムトセルである請求項３９の装置。
【請求項４４】
前記第１セルはフェムトセルであり、前記第２セルはマクロセルである請求項３９の装置。
【請求項４５】
１つの周波数再利用は、前記第１および第２セルに関する前記ダウンリンクのために利用され、１より大きい周波数再利用は、前記第１セルに関する前記アップリンクのために利用され、１つの周波数再利用は、前記第２セルに関する前記アップリンクのために利用される請求項３９の装置。
【請求項４６】
フレームのダウンリンクサブフレームにおいて第２セルと周波数分割多重（ＦＤＭ）される第１セルに関してダウンリンク伝送を送り、
前記フレームのアップリンクサブフレームにおいて前記第２セルと時分割多重（ＴＤＭ）される前記第１セルに関するアップリンク伝送を受け取ることを具備する無線通信に関する効率的なフレーム構造を提供する方法。
【請求項４７】
前記ダウンリンク伝送を送ることは、前記第２セルが、前記ダウンリンクサブフレーム中に第２周波数帯で動作しながら、前記ダウンリンクサブフレーム中に第１周波数帯での前記第１セルに関する前記ダウンリンク伝送を送ることを具備し、
前記アップリンク伝送を受け取ることは、前記第２セルが、前記アップリンクサブフレーム第２時間間隔で動作しながら、前記アップリンクサブフレームの第１時間間隔において前記第１セルに関する前記アップリンク伝送を受け取ることを具備する請求項４６の方法。
【請求項４８】
前記第２セルが、前記アップリンクサブフレームの前記第２時間間隔中に前記第１および第２周波数帯を利用しながら、前記第１セルに関する前記アップリンクサブフレームの前記第１時間間隔中に前記第１周波数帯のみを利用することをさらに具備する請求項４７の方法。
【請求項４９】
フレームのダウンリンクサブフレームにおいて第２セルと周波数分割多重（ＦＤＭ）される第１セルに関してダウンリンク伝送を送る手段と、
前記フレームのアップリンクサブフレームにおいて前記第２セルと時分割多重（ＴＤＭ）される前記第１セルに関するアップリンク伝送を受け取る手段と、を具備する無線通信に関する効率的なフレーム構造を提供する装置。
【請求項５０】
前記ダウンリンク伝送を送る前記手段は、前記第２セルが前記ダウンリンクサブフレーム中に第２周波数帯で動作しながら、前記ダウンリンクサブフレーム中に第１周波数帯での前記第１セルに関する前記ダウンリンク伝送を送る手段を具備し、
前記アップリンクを受け取る前記手段は、前記第２セルが前記アップリンサブフレームの第２時間間隔において動作しながら、前記アップリンクサブフレームの第１時間間隔における前記第１セルに関する前記アップリンク伝送を受け取る手段を具備する請求項４９の装置。
【請求項５１】
前記第２セルが前記アップリンクサブフレームの前記第２時間間隔中に前記第１および第２周波数帯を利用しながら、前記第１セルに関する前記アップリンクサブフレームの前記第１時間間隔中に前記第１周波数帯のみを利用する手段をさらに具備する請求項５０の装置。
【請求項５２】
命令を有するコンピュータ読み取り可能な媒体を具備するコンピュータプログラム製品であって、前記命令は、
少なくとも１つのコンピュータに、フレームのダウンリンクサブフレームにおいて第２セルと周波数分割多重（ＦＤＭ）される第１セルに関するダウンリンク伝送を送らせるコードと、
前記少なくとも１つのコンピュータに、前記フレームのアップリンクサブフレームにおいて前記第２セルと時分割多重（ＴＤＭ）される前記第１セルに関するアップリンク伝送を受け取らせるコードと、を具備するコンピュータプログラム製品。
【発明の詳細な説明】
【技術分野】
【０００１】
本開示は、一般的に通信システムに関する。より具体的には、本開示は無線通信システムに関する効率的なフレーム構造を提供する方法および装置に関する。
【０００２】
本出願は、全ての目的に関して参照することによりここに完全に組み込まれる、２００７年１１月２０日に提出された、“Frame Structure Supporting Multiple Air Interfaces for Wireless Channel”と題された、米国仮特許出願番号６０／９８９，３８５の優先権の利益を主張する。
【発明の概要】
【０００３】
無線通信に関する効率的なフレーム構造を提供する装置が開示される。装置は、フレームのダウンリンクサブフレームにおいて第１および第２エアインタフェースを周波数分割多重（ＦＤＭ）し、フレームのアップリンクサブフレームにおいて第１および第２エアインタフェースを時分割多重（ＴＤＭ）するように構成される少なくとも１つのプロセッサを含んでもよい。装置はまた、少なくとも１つのプロセッサに接続されるメモリを含んでもよい。
【０００４】
無線通信に関して効率的なフレーム構造を提供する方法が開示される。方法は、フレームのダウンリンクサブフレームにおいて第１および第２エアインタフェースを周波数分割多重（ＦＤＭ）することを含んでもよい。方法はまた、フレームのアップリンクサブフレームにおいて第１および第２エアインタフェースを時分割多重（ＴＤＭ）することを含んでもよい。
【０００５】
無線通信に関して効率的なフレーム構造を提供するための装置が開示される。装置は、フレームのダウンリンクサブフレームにおいて第１および第２エアインタフェースを周波数分割多重（ＦＤＭ）するための手段を含んでもよい。装置はまた、フレームのアップリンクサブフレームにおいて第１および第２エアインタフェースを時分割多重（ＴＤＭ）するための手段を含んでもよい。
【０００６】
命令を有するコンピュータ読み取り可能な媒体を具備するコンピュータプログラム製品が開示される。命令は、少なくとも１つのコンピュータに、フレームのダウンリンクサブフレームにおいて第１および第２エアインタフェースを周波数分割多重（ＦＤＭ）させるコードを含んでもよい。命令はまた、少なくとも１つのコンピュータに、フレームのアップリンクサブフレームにおいて第１および第２エアインタフェースを時分割多重（ＴＤＭ）させるコードを含んでもよい。
【０００７】
無線通信に関する効率的なフレーム構造を提供する装置が開示される。装置は、ダウンリンクサブフレームにおいて第１周波数帯での第１ダウンリンク伝送（downlink transmission）を送り、アップリンクサブフレームの第１時間間隔において第１周波数帯での第１アップリンク伝送（uplink transmission）を受け取るように構成された少なくとも１つのプロセッサを含んでもよい。第１ダウンリンク伝送および第１アップリンク伝送は、第１エアインタフェースを利用してもよい。第１エアインタフェースは、ダウンリンクで第２エアインタフェースと周波数分割多重（ＦＤＭ）されてもよく、アップリンクで第２エアインタフェースと時分割多重（ＴＤＭ）されてもよい。装置はまた、少なくとも１つのプロセッサに接続されたメモリを含んでもよい。
【０００８】
無線通信に関する効率的なフレーム構造を提供する方法が開示される。方法は、ダウンリンクサブフレームにおいて第１周波数帯での第１ダウンリンク伝送を送ることを含んでもよい。方法はまた、アップリンクサブフレームの第１時間間隔における第１周波数帯での第１アップリンク伝送を受け取ることを含んでもよい。第１ダウンリンク伝送および第１アップリンク伝送は、第１エアインタフェースを利用してもよい。第１エアインタフェースは、ダウンリンクで第２エアインタフェースと周波数分割多重（ＦＤＭ）されてもよく、アップリンクで第２エアインタフェースと時分割多重（ＴＤＭ）されてもよい。
【０００９】
無線通信に関する効率的なフレーム構造を提供する装置が開示される。装置は、ダウンリンクサブフレームにおいて第１周波数帯での第１ダウンリンク伝送を送るための手段を含んでもよい。装置はまた、アップリンクサブフレームの第１時間間隔における第１周波数帯での第１アップリンク伝送を受け取るための手段を含んでもよい。第１ダウンリンク伝送および第１アップリンク伝送は、第１エアインタフェースを利用してもよい。第１エアインタフェースは、ダウンリンクで第２エアインタフェースと周波数分割多重（ＦＤＭ）されてもよく、アップリンクで第２エアインタフェースと時分割多重（ＴＤＭ）されてもよい。
【００１０】
命令を有するコンピュータ読み取り可能な媒体を具備するコンピュータプログラム製品が開示される。命令は、少なくとも１つのコンピュータに、ダウンリンクサブフレームにおいて第１周波数帯での第１ダウンリンク伝送を送らせるコードを含んでもよい。命令はまた、少なくとも１つのコンピュータに、アップリンクサブフレームの第１時間間隔において第１周波数帯での第１アップリンク伝送を受け取らせるコードを含んでもよい。第１ダウンリンク伝送および第１アップリンク伝送は、第１エアインタフェースを利用してもよい。第１エアインタフェースは、ダウンリンクで第２エアインタフェースと周波数分割多重（ＦＤＭ）されてもよく、アップリンクで第２エアインタフェースと時分割多重（ＴＤＭ）されてもよい。
【００１１】
無線通信に関する効率的なフレーム構造を提供する装置が開示される。装置は、ダウンリンクサブフレームにおいて第１周波数帯でのダウンリンク伝送を受け取り、アップリンクサブフレームの第１時間間隔において第１周波数帯でのアップリンク伝送を送るように構成される少なくとも１つのプロセッサを含んでもよい。ダウンリンク伝送およびアップリンク伝送は、第１エアインタフェースを利用してもよい。第１エアインタフェースは、ダウンリンクで第２エアインタフェースと周波数分割多重（ＦＤＭ）されてもよく、アップリンクで第２エアインタフェースと時分割多重（ＴＤＭ）されてもよい。装置はまた、少なくとも１つのプロセッサに接続されたメモリを含んでもよい。
【００１２】
無線通信に関する効率的なフレーム構造を提供する方法が開示される。方法は、ダウンリンクサブフレームにおいて第１周波数帯でのダウンリンク伝送を受け取ることを含んでもよい。方法はまた、アップリンクサブフレームの第１時間間隔において第１周波数帯でのアップリンク伝送を送ることを含んでもよい。ダウンリンク伝送およびアップリンク伝送は、第１エアインタフェースを利用してもよい。第１エアインタフェースは、ダウンリンクで第２エアインタフェースと周波数分割多重（ＦＤＭ）されてもよく、アップリンクで第２エアインタフェースと時分割多重（ＴＤＭ）されてもよい。
【００１３】
無線通信に関する効率的なフレーム構造を提供する装置が開示される。装置は、ダウンリンクサブフレームにおいて第１周波数帯でダウンリンク伝送を受け取るための手段を含んでもよい。装置はまた、アップリンクサブフレームの第１時間間隔において第１周波数帯でのアップリンク伝送を送るための手段を含んでもよい。ダウンリンク伝送およびアップリンク伝送は、第１エアインタフェースを利用してもよい。第１エアインタフェースは、ダウンリンクで第２エアインタフェースと周波数分割多重（ＦＤＭ）されてもよく、アップリンクで第２エアインタフェースと時分割多重（ＴＤＭ）されてもよい。
【００１４】
命令を有するコンピュータ読み取り可能な媒体を具備するコンピュータプログラム製品が開示される。命令は、少なくとも１つのコンピュータに、ダウンリンクサブフレームにおいて第１周波数帯でのダウンリンク伝送を受け取らせるためのコードを含んでもよい。命令はまた、少なくとも１つのコンピュータに、アップリンクサブフレームの第１時間間隔において第１周波数帯での第１アップリンク伝送を送らせるためのコードを含んでもよい。ダウンリンク伝送およびアップリンク伝送は、第１エアインタフェースを利用してもよい。第１エアインタフェースは、ダウンリンクで第２エアインタフェースと周波数分割多重（ＦＤＭ）されてもよく、アップリンクで第２エアインタフェースと時分割多重（ＴＤＭ）されてもよい。
【００１５】
無線通信に関する効率的なフレーム構造を提供する装置が開示される。装置は、フレームのダウンリンクサブフレームにおいて第２セルと周波数分割多重（ＦＤＭ）される第１セルにダウンリンク伝送を送り、フレームのアップリンクサブフレームにおいて第２セルと時分割多重（ＴＤＭ）される第１セルのためにアップリンク伝送を受け取るように構成された少なくとも１つのプロセッサを含んでもよい。装置はまた、少なくとも１つのプロセッサに接続されたメモリを含んでもよい。
【００１６】
無線通信に関する効率的なフレーム構造を提供する方法が開示される。方法は、フレームのダウンリンクサブフレームにおいて第２セルと周波数分割多重（ＦＤＭ）される第１セルにダウンリンク伝送を送ることを含んでもよい。方法はまた、フレームのアップリンクサブフレームにおいて第２セルと時分割多重（ＴＤＭ）される第１セルのためにアップリンク伝送を受け取ることを含んでもよい。
【００１７】
無線通信に関する効率的なフレーム構造を提供する装置が開示される。装置は、フレームのダウンリンクサブフレームにおいて第２セルと周波数分割多重（ＦＤＭ）される第１セルにダウンリンク伝送を送るための手段を含んでもよい。装置はまた、フレームのアップリンクサブフレームにおいて第２セルと時分割多重（ＴＤＭ）される第１セルのためにアップリンク伝送を受け取るための手段を含んでもよい。
【００１８】
命令を有するコンピュータ読み取り可能な媒体を具備するコンピュータプログラム製品が開示される。命令は、少なくとも１つのコンピュータに、フレームのダウンリンクサブフレームにおいて第２セルと周波数分割多重（ＦＤＭ）される第１セルへダウンリンク伝送を送らせるためのコードを含んでもよい。命令はまた、少なくとも１つのコンピュータに、フレームのアップリンクサブフレームにおいて第２セルと時分割多重（ＴＤＭ）される第１セルのためにアップリンク伝送を受け取らせるためのコードを含んでもよい。
【図面の簡単な説明】
【００１９】
【図１】複数の基地局（ＢＳ）および複数の加入者局（ＳＳ）を備える無線通信システムを示す図。
【図２】マルチセルレイアウトの例を示す図。
【図３】ＩＥＥＥ８０２．１６ｅにおける時分割多重（ＴＤＤ）モードに関するフレーム構造の例を示す図。
【図４】３つの周波数再利用を備える３つのセクタに関する伝送時系列（transmission timeline）を示す図。
【図５】２つのエアインタフェースをサポートするフレーム構造の設計を示す図。
【図６】図５に示されるフレーム構造を備えるＩＥＥＥ８０２．１６ｅと８０２．１６ｍとの両方をサポートする３つのセクタに関する伝送時系列の例を示す図。
【図７】フェムトセルとマクロセルとをサポートするフレーム構造の設計を示す図。
【図８】通信方法の１つの設計を示す図。
【図９】通信装置の１つの設計を示す図。
【図１０】通信に関する基地局によって行なわれる方法の１つの設計を示す図。
【図１１】通信装置の１つの設計を示す図。
【図１２】通信に関する加入者局によって行なわれる方法の１つの設計を示す図。
【図１３】通信装置の１つの設計を示す図。
【図１４】マクロセルとフェムトセルとに関する通信をサポートする方法の１つの設計を示す図。
【図１５】通信装置の１つの設計を示す図。
【図１６】基地局と加入者局との設計のブロック図を示す図。
【発明を実施するための形態】
【００２０】
ここで用いられるように、用語“加入者局”は、無線通信ネットワーク上の音声および／またはデータ通信のために用いられてもよい電子デバイスを意味する。加入者局の例は、携帯電話機、パーソナルデジタルアシスタント（ＰＤＡ）、ハンドヘルドデバイス、無線モデム、ラップトップコンピュータ、パーソナルコンピュータなどを含む。加入者局は、あるいはアクセス端末、モバイル端末、移動局、リモート局、ユーザ端末、端末、加入者ユニット、ユーザ機器などと呼ばれてもよい。
【００２１】
無線通信ネットワークは、多くの加入者局に関する通信を提供してもよく、その各々は基地局によってサービスされてもよい。基地局は、あるいはアクセスポイント、Ｎｏｄｅ Ｂまたは他の何らかの用語で呼ばれてもよい。
【００２２】
加入者局は、アップリンクとダウンリンクとの伝送を経て１以上の基地局と通信してもよい。アップリンク（またはリバースリンク）は、加入者局から基地局への通信リンクを意味し、ダウンリンク（またはフォワードリンク）は、基地局から加入者局への通信リンクを意味する。
【００２３】
無線通信ネットワークのリソース（例えば、帯域幅および送信電力）は、複数の加入者局の間で共有されてもよい。様々な多重アクセス手法は、符号分割多重アクセス（ＣＤＭＡ）、時分割多重アクセス（ＴＤＭＡ）、周波数分割多重アクセス（ＦＤＭＡ）および直交周波数分割多重アクセス（ＯＦＤＭＡ）を含めて知られている。
【００２４】
ここに記述されたフレーム構造と伝送手法とは、符号分割多重アクセス（ＣＤＭＡ）システム、時分割多重アクセス（ＴＤＭＡ）システム、周波数分割多重アクセス（ＦＤＭＡ）システム、直交ＦＤＭＡ（ＯＦＤＭＡ）システム、シングルキャリアＦＤＭＡ（ＳＣ−ＦＤＭＡ）システム、空間分割多重アクセス（ＳＤＭＡ）システム、多入力多出力（ＭＩＭＯ）システムなどのような様々な通信システムのために用いられてもよい。ＯＦＤＭＡシステムは、直交周波数分割多重（ＯＦＤＭ）を利用する。ＳＣ−ＦＤＭＡシステムは、シングルキャリア周波数分割多重（ＳＣ−ＦＤＭ）を利用する。ＯＦＤＭとＳＣ−ＦＤＭとは、システム帯域幅を複数の直交サブキャリアに分割し、それはトーン、ビンなどと呼ばれる。各サブキャリアは、データを備えて変調されてもよい。一般に、変調シンボルは、ＯＦＤＭで周波数領域において送られ、ＳＣ−ＦＤＭで時間領域において送られる。ＯＦＤＭＡシステムは、ウルトラモバイルブロードバンド（ＵＭＢ）、エボルブドＵＴＲＡ（Ｅ−ＵＴＲＡ）、（Ｗｉ−Ｆｉとも呼ばれる）ＩＥＥＥ８０２．１１、（ＷｉＭＡＸとも呼ばれる）ＩＥＥＥ８０２．１６、ＩＥＥＥ８０２．２０、フラッシュＯＦＤＭ（登録商標）などのようなエアインタフェースを実装してもよい。これらの様々なエアインタフェースおよび規格は、技術的に知られている。エアインタフェースは、２局間の無線通信をサポートするためのメカニズムである。用語“エアインタフェース”、“無線技術”および“無線アクセス技術”は、しばしば区別なく用いられる。また、用語“システム”と“ネットワーク”とは、しばしば区別なく用いられる。
【００２５】
明確にするため、本開示のある態様は、２００４年１０月１日、“Part 16: Air Interface for Fixed and Mobile Broadband Wireless Access Systems”と題されたＩＥＥＥ８０２．１６と、２００６年２月２８日、“Part 16:Air Interface for Fixed and Mobile Broadband Wireless Access Systems; Amendment 2:Physical and Medium Access Control Layers for Combined Fixed and Mobile Operation in Licensed Bands,”と題されたＩＥＥＥ８０２．１６ｅとが記述されるＷｉＭＡＸに関して以下に記述される。これらの文書は、公に利用可能である。本開示の態様はまた、ＷｉＭＡＸのために開発されている新しいエアインタフェースであるＩＥＥＥ８０２．１６ｍに関して用いられてもよい。
【００２６】
図１は、複数の基地局（ＢＳ）１１０と複数の加入者局（ＳＳ）１２０とを備える無線通信システム１００を示す。基地局１１０は、加入者局１２０と通信する局である。基地局１１０はまた、アクセスポイント、Ｎｏｄｅ Ｂ、エボルブＮｏｄｅ Ｂなどと呼ばれてもよく、これらの機能の全てまたはいくつかを含んでもよい。各基地局１１０は、特定の地理的エリア１０２に関する通信サービスエリアを提供する。用語“セル”は、用語が用いられるコンテキストに依存して、基地局１１０および／またはそのサービスエリア１０２を示すことができる。システム容量を改善するために、基地局サービスエリア１０２は、複数のより小さなエリア（例えば、３つのより小さなエリア１０４ａ、１０４ｂおよび１０４ｃ）に分割されてもよい。より小さなエリア１０４ａ、１０４ｂおよび１０４ｃは、それぞれの基地局サブシステムによって供給されてもよい。用語“セクタ”は、基地局１１０の最も小さなサービスエリア１０４ａ、１０４ｂおよび１０４ｃ、および／または、このサービスエリア１０２を供給する基地局サブシステムを示すことができる。
【００２７】
加入者局１２０は、システム１００の全体にわたって分散してもよく、各加入者局１２０は固定または移動式でもよい。加入者局１２０はまた、移動局（ＭＳ）、端末、アクセス端末、ユーザ機器、加入者ユニット、局などと呼ばれてもよく、これらの機能の全てまたはいくつかを含んでもよい。加入者局１２０は、携帯電話、パーソナルデジタルアシスタント（ＰＤＡ）、無線デバイス、無線モデム、ハンドヘルドデバイス、ラップトップコンピュータ、コードレス電話機などでもよい。加入者局１２０は、任意のある瞬間でのダウンリンク（ＤＬ）および／またはアップリンク（ＵＬ）で、ゼロ、１または複数の基地局１１０と通信してもよい。ダウンリンク（またはフォワードリンク）は、基地局１１０から加入者局１２０への通信リンクを意味し、アップリンク（またはリバースリンク）は、加入者局１２０から基地局１１０への通信リンクを示す。
【００２８】
集中型のアーキテクチャに関して、システムコントローラ１３０は基地局１１０に接続され、これらの基地局１１０に関する調整および制御を提供してもよい。システムコントローラ１３０は、単一のネットワークエンティティまたはネットワークエンティティの集合であってもよい。分散型のアーキテクチャに関して、基地局１１０は、互いに必要に応じて通信してもよい。
【００２９】
無線システム１００は、多くのセルを有してもよく、各セルは３つのセクタ１０４ａ、１０４ｂおよび１０４ｃを含んでもよい。同じセクタ１０４における加入者局１２０に関するデータ伝送は、セクタ間干渉を最小限にするか回避するために直交多重化を用いて送られてもよい。しかし、異なるセクタ１０４における加入者局１２０に関するデータ伝送は直交化されなくてもよく、その場合には、各加入者局１２０は、他のセクタ１０４内の加入者局１２０からのセクタ間干渉を観測するかもしれない。セクタ間干渉は、高い干渉のレベルを観測する不利な条件に置かれた加入者局１２０に関する性能を著しく劣化させるかもしれない。無線システム１００は、セクタ間干渉に対処するために１より大きい周波数再利用を採用してもよい。
【００３０】
図２はマルチセルレイアウト２００の例を示す。単純化のために、各セクタ２０４は、そのセクタ２０４のサービスエリア境界を近似する理想的な六角形によってモデル化される。３つのセクタセル２０２はそれぞれ、クローバーの中心に位置される基地局２１０を備えて、３つの理想的な六角形のクローバーによってモデル化される。各セル２０２の３つのセクタ２０４は、セクタ１、セクタ２およびセクタ３としてラベル化される。
【００３１】
システム２００は、３つの周波数再利用を採用してもよい。この場合、全システム帯域幅は、Ｆ１、Ｆ２およびＦ３と呼ばれる３つの周波数チャネルに分割されてもよい。セル２０２の各セクタ２０４は、３つの周波数帯の異なる１つを割り当てられてもよい。例えば、セクタ１は周波数チャネルＦ１を用いてもよく、セクタ２は周波数チャネルＦ２を用いてもよく、セクタ３は周波数チャネルＦ３を用いてもよい。図２に示されるセルレイアウトについては、各セクタ２０４は、そのセクタ２０４とは異なる周波数チャネルを用いる６つの隣接セクタ２０４によって、第１層（または第１リング）において囲まれる。隣接セクタ２０４は、別のセクタ２０４に直接隣接し、別のセクタ２０４とサービスエリア境界を共有するセクタ２０４である。それゆえ、周波数チャネルＦ１を用いる各セクタ１は、第１層において周波数チャネルＦ２およびＦ３を用いる６つの隣接セクタ２および３によって囲まれる。周波数チャネルＦ２を用いる各セクタ２は、周波数チャネルＦ１およびＦ３を用いる６つの隣接セクタ１および３によって囲まれる。周波数チャネルＦ３を用いる各セクタ３は、周波数チャネルＦ１およびＦ２を用いる６つの隣接セクタ１および２によって囲まれる。
【００３２】
図２に示されるように、３つの周波数再利用で、同じ周波数チャネルは互いに隣接していないセクタ２０４によって再利用され、各セクタ２０４において観測されたセクタ間干渉は、全てのセクタ２０４が同じ周波数チャネルを用いる場合と比べて低減される。しかし、各セクタ２０４が全システム帯域幅の一部のみを用いることができるので、１より大きい周波数再利用ファクタは、利用可能なシステムリソースの未活用をもたらすかもしれない。
【００３３】
図３は、ＩＥＥＥ８０２．１６ｅにおける時分割多重（ＴＤＤ）モードに関するフレーム構造３００の例を示す。伝送時系列は、フレーム３０８のユニットに分割されてもよい。各フレーム３０８は、所定の継続時間（例えば、５ミリセカンド（ｍｓ））を測ってもよく、ダウンリンクサブフレーム３１２とアップリンクサブフレーム３１４とに分割されてもよい。ダウンリンクおよびアップリンクサブフレーム３１２、３１４は、送信トランスミッションギャップ（ＴＴＧ）３１６と受信トランスミッションギャップ（ＲＴＧ）３１８とによって分離されてもよい。
【００３４】
多くの物理的なサブチャネルが定義されてもよい。各物理的なサブチャネルは、システム帯域幅にわたって分散されるかまたは連続的であってもよいサブキャリアのグループを含んでもよい。多くの論理サブチャネル３２２はまた、定義されてもよいし、既知のマッピングに基づいて物理的なサブチャネルにマッピングされてもよい。論理サブチャネル３２２は、リソースの割り当てを単純化してもよい。
【００３５】
図３に示されるように、ダウンリンクサブフレーム３１２は、プリアンブル３２４ａ、フレーム制御ヘッダ（ＦＣＨ）３２６ａ、ダウンリンクマップ（ＤＬ−ＭＡＰ）３２８ａ、アップリンクマップ（ＵＬ−ＭＡＰ）３３０およびダウンリンク（ＤＬ）バースト３３２ａ−ｆを含んでもよい。プリアンブル３２４ａは、フレーム検出および同期に関して加入者局によって用いられてもよい既知の伝送を運んでもよい。ＦＣＨ ３２６ａは、ＤＬ−ＭＡＰ ３２８ａ、ＵＬ−ＭＡＰ ３３０およびダウンリンクバースト３３２ａ−ｆを受信するために用いられるパラメータを運んでもよい。ＤＬ−ＭＡＰ ３２８ａは、ダウンリンクアクセスに関する様々な種類の制御情報に関する情報エレメント（ＩＥ）を含んでもよいＤＬ−ＭＡＰメッセージを運んでもよい。ＵＬ−ＭＡＰ ３３０は、アップリンクアクセスのための様々な種類の制御情報に関するＩＥを含んでもよいＵＬ−ＭＡＰメッセージを運んでもよい。ダウンリンクバースト３３２ａ−ｆは、供給される加入者局に関するトラフィックデータを運んでもよい。アップリンクサブフレーム３１４は、供給される加入者局からのトラフィックデータを運んでもよいアップリンクバースト３３４ａ−ｅを含んでもよい。
【００３６】
一般に、ダウンリンクおよびアップリンクサブフレーム３１２、３１４は、フレーム３０８の任意の一部をカバーしてもよい。一設計では、フレーム３０８は、４７個のＯＦＤＭシンボルにおよんでいて（span）、ダウンリンクサブフレーム３１２は３１個のＯＦＤＭシンボルをカバーし、アップリンクサブフレーム３１４は、１６個のＯＦＤＭシンボルをカバーする。フレーム３０８、ダウンリンクサブフレーム３１２およびアップリンクサブフレーム３１４はまた、固定されてもよくまたは設定可能でもよい、他の継続期間を有してもよい。
【００３７】
図４は、３つの周波数再利用を備える３つのセクタ４０４（すなわち、セクタ１ ４０４ａ、セクタ２ ４０４ｂおよびセクタ３ ４０４ｃ）に関する伝送時系列の例を示す。この例では、セクタ１ ４０４ａは、周波数チャネルＦ１ ４０６ａで動作する。ダウンリンク伝送４４０は、ダウンリンクサブフレーム４１２において周波数チャネルＦ１ ４０６ａで送られ、アップリンク伝送４４２は、アップリンクサブフレーム４１４において周波数チャネルＦ１ ４０６ａで送られる。どの伝送も、セクタ１ ４０４ａにおけるダウンリンクまたはアップリンクに関する周波数チャネルＦ２ ４０６ｂおよびＦ３ ４０６ｃで送られない。セクタ２ ４０４ｂは、周波数チャネルＦ２ ４０６ｂで動作する。ダウンリンク伝送４４０は、ダウンリンクサブフレーム４１２において周波数チャネルＦ２ ４０６ｂで送られ、アップリンク伝送４４２は、アップリンクサブフレーム４１４において周波数チャネルＦ２ ４０６ｂで送られる。どの伝送も、セクタ２ ４０４ｂにおけるダウンリンクまたはアップリンクに関する周波数チャネルＦ１ ４０６ａおよびＦ３ ４０６ｃで送られない。セクタ３ ４０４ｃは、周波数チャネルＦ３ ４０６ｃで動作し、ダウンリンク伝送４４０は、ダウンリンクサブフレーム４１２において周波数チャネルＦ３ ４０６ｃで送られ、アップリンク伝送４４２は、アップリンクサブフレーム４１４において周波数チャネルＦ３ ４０６ｃで送られる。どの伝送も、セクタ３ ４０４ｃにおけるダウンリンクまたはアップリンクに関する周波数チャネルＦ１ ４０６ａおよびＦ２ ４０６ａで送られない。
【００３８】
図４に示されるように、セクタ１ ４０４ａ、セクタ２ ４０４ｂおよびセクタ３ ４０４ｃからのダウンリンク伝送４４０は、３つの異なる非オーバーラップの周波数チャネルＦ１ ４０６ａ、Ｆ２ ４０６ｂおよびＦ３ ４０６ｃで送られ、それゆえ互いに干渉しない。セクタ１ ４０４ａ、セクタ２ ４０４ｂおよびセクタ３ ４０４ｃにおけるアップリンク伝送４４２はまた、３つの異なる周波数チャネルＦ１ ４０６ａ、Ｆ２ ４０６ｂおよびＦ３ ４０６ｃで送られ、互いに干渉しない。従って、３つの周波数再利用は、このようにセクタ間干渉を低減するか防いでもよい。しかし、図４に示されるように、各セクタ４０４は、全システム帯域幅の３分の１のみで動作する。
【００３９】
ＩＥＥＥ８０２．１６ｍは、ＩＭＴ−２０００の先の次の世代であるInternational Mobile Telecommunications (IMT)-Advancedのために開発され目標とされる新しいエアインタフェースである。ＩＥＥＥ８０２．１６ｍは、ＩＥＥＥ８０２．１６ｅと後方互換であるように設計されている。さらに、ＩＥＥＥ８０２．１６ｍは、ＩＥＥＥ８０２．１６ｅと同時に使用するべきであり、ＩＥＥＥ８０２．１６ｅの性能を下げるべきでない。ＩＥＥＥ８０２．１６ｅは、ダウンリンクとアップリンクとに関してＯＦＤＭＡを利用する。ＩＥＥＥ８０２．１６ｍは、ダウンリンクとアップリンクとのそれぞれに関して、任意の多重化スキーム（例えば、ＯＦＤＭＡ、ＳＣ−ＦＤＭＡ、ＣＤＭＡ、ＴＤＭＡまたはＦＤＭＡ）または多重化スキームの任意の組み合わせ（例えば、ＯＦＤＭＡおよびＣＤＭＡ）を利用してもよい。
【００４０】
本開示に従って、新しいエアインタフェース（例えば、ＩＥＥＥ８０２．１６ｍ）と古い／レガシーのエアインタフェース（例えば、ＩＥＥＥ８０２．１６ｅ）とは、古いエアインタフェースの性能に最小に影響を与える一方、極力新しいエアインタフェースのよりよい性能を生かすフレーム構造を用いて、同時にサポートされてもよい。このフレーム構造に関して、新しいおよび古いエアインタフェースは、ダウンリンクに関して周波数分割多重（ＦＤＭ）でもよく、アップリンクに関して時分割多重（ＴＤＭ）でもよい。
【００４１】
図５は、２つのエアインタフェース、例えば、ＩＥＥＥ８０２．１６ｅと８０２．１６ｍとをサポートするフレーム構造５００の設計を示す。システム帯域幅は、周波数帯Ａ ５４４ａおよび周波数帯Ｂ ５４４ｂとして示された２つの周波数帯５４４に分割されてもよい。周波数帯５４４はまた、周波数セグメント、周波数範囲、周波数チャネルなどと呼ばれてもよい。フレーム５０８はまた、ダウンリンクサブフレーム５１２とアップリンクサブフレーム５１４とに分割されてもよい。アップリンクサブフレーム５１４はまた、時間間隔Ｘ ５４６ａおよび時間間隔Ｙ ５４６ｂとして示された２つの時間間隔５４６にさらに分割されてもよい。時間間隔５４６はまた、タイムスロット、スロットなどと呼ばれてもよい。
【００４２】
ダウンリンクに関して、ダウンリンクサブフレーム５１２中に、周波数帯Ａ ５４４ａはＩＥＥＥ８０２．１６ｅ伝送５４０ａに関して用いられてもよいし、周波数帯Ｂ ５４４ｂは、ＩＥＥＥ８０２．１６ｍ伝送５４０ｂに関して用いられてもよい。ＩＥＥＥ８０２．１６ｅおよび８０２．１６ｍは、ダウンリンクサブフレーム５１２中に、このように２つの周波数帯Ａ ５４４ａとＢ ５４４ｂとでそれぞれ周波数分割多重される。
【００４３】
アップリンクに関して、周波数帯Ａ ５４４ａはＩＥＥＥ８０２．１６ｅ伝送５４２ａのために用いられてもよいし、周波数帯Ｂ５４４ｂはアップリンクサブフレーム５１４の時間間隔Ｘ５４６ａ中に未使用でもよい。周波数帯Ａ５４４ａとＢ５４４ｂとの両方は、アップリンクサブフレーム５１４の時間間隔Ｙ ５４６ｂ中に、ＩＥＥＥ８０２．１６ｍ伝送 ５４２ｂのために用いられてもよい。ＩＥＥＥ８０２．１６ｅと８０２．１６ｍとは、アップリンクサブフレーム５１４中に、このように２つの時間間隔Ｘ ５４６ａとＹ ５４６ｂにおいてそれぞれ時分割多重される。
【００４４】
図５は、周波数帯５４４と時間間隔５４６とにＩＥＥＥ８０２．１６ｅと８０２．１６ｍとをマッピングすることの特定の設計を示す。別の設計では、時間間隔Ｘ ５４６ａは、ＩＥＥＥ８０２．１６ｍのために用いられてもよく、時間間隔Ｙ ５４６ｂは、ＩＥＥＥ８０２．１６ｅのために用いられてもよい。この設計は、純粋なＩＥＥＥ８０２．１６ｅシステムと同様であろうフレーム５０８の終了の近くに発生するＩＥＥＥ８０２．１６ｅ加入者局からのアップリンク伝送をもたらす。ＩＥＥＥ８０２．１６ｅと８０２．１６ｍとはまた、他の設計に基づいて時間および周波数にマッピングされてもよい。
【００４５】
一般に、周波数帯Ａ ５４４ａとＢ ５４４ｂとは、システム帯域幅の任意の一部をそれぞれカバーしてもよい。３つの周波数再利用を備えるＩＥＥＥ８０２．１６ｅをサポートする一設計では、３０ＭＨｚのシステム帯域幅は、周波数帯Ａ ５４４ａが１０ＭＨｚをカバーし、周波数帯Ｂ ５４４ｂが２０ＭＨｚをカバーするように分割される。３つの周波数再利用を備えるＩＥＥＥ８０２．１６ｅをサポートする別の設計では、１５ＭＨｚのシステム帯域幅は、周波数帯Ａ ５４４ａが５ＭＨｚをカバーし、周波数帯Ｂ ５４４ｂが１０ＭＨｚをカバーするように分割される。２つの周波数再利用を備えるＩＥＥＥ８０２．１６ｅをサポートする別の設計では、２０ＭＨｚのシステム帯域幅は、周波数帯Ａ ５４４ａが１０ＭＨｚをカバーし、周波数帯Ｂ ５４４ｂが１０ＭＨｚをカバーするように分割される。周波数帯Ａ ５４４ａとＢ ５４４ｂとはまた、システム帯域幅の他の一部をカバーしてもよく、他の周波数再利用ファクタをサポートしてもよい。
【００４６】
一般に、ダウンリンクおよびアップリンクサブフレーム５１２、５１４は、フレーム５０８の任意の一部をカバーしてもよい。一設計では、フレーム５０８は４７個のＯＦＤＭシンボルにわたり、ダウンリンクサブフレーム５１２は２６個のＯＦＤＭシンボルをカバーし、アップリンクサブフレーム５１４は２１個のＯＦＤＭシンボルをカバーし、アップリンクサブフレーム５１４の時間間隔Ｘ ５４６ａは１６個のＯＦＤＭシンボルをカバーし、アップリンクサブフレーム５１４の時間間隔Ｙ ５４６ｂは５個のＯＦＤＭシンボルをカバーする。この設計は、図３に関して上述された設計例のように、近似的に同じ時間／周波数割り当てを有するＩＥＥＥ８０２．１６ｅに関するアップリンクをもたらしてもよい。よって、ＩＥＥＥ８０２．１６ｅに関するアップリンクでのリンクバジェットは、フレーム構造５００の使用の影響を受けない。フレーム５０８、ダウンリンクサブフレーム５１２、アップリンクサブフレーム５１４、時間間隔Ｘ５４６ａ、時間間隔Ｙ５４６ｂはまた、他の継続期間を有してもよい。これらの継続期間は、（例えば、ダウンリンクとアップリンクとでのローディングに基づいて）動的に変化してもよい動的な値、ゆっくり変化する半静的な値、または、変化しない静的な値であってもよい。
【００４７】
ＩＥＥＥ８０２．１６ｅに関する典型的な展開シナリオ（deployment scenario）は、３０ＭＨｚのシステム帯域幅と３つの周波数再利用とであってもよい。ダウンリンクでは、コンピューターシミュレーションは、ＩＥＥＥ８０２．１６ｅの性能が十分であるかもしれず、合理的なセクタスループットが、１つの周波数再利用と３つの周波数再利用との両方に関して実現されるかもしれないことを示す。アップリンクでは、コンピューターシミュレーションは、干渉管理がないので、ＩＥＥＥ８０２．１６ｅの性能が１つの周波数再利用で乏しいかもしれないことを示す。
【００４８】
図５に示されるフレーム構造５００は、ＩＥＥＥ８０２．１６ｅの良好な性能を維持する一方、利用可能なシステム帯域幅の利用を改善するために上記の結果を生かす。ダウンリンクに関して、セクタが、３つの周波数再利用を有するＩＥＥＥ８０２．１６ｅのために３０ＭＨｚのシステム帯域幅のわずか１０ＭＨｚしか用いていない場合、残りの２０ＭＨｚのシステム帯域幅は、ＩＥＥＥ８０２．１６ｍのために用いられてもよい。ＩＥＥＥ８０２．１６ｅの観点から、セクタは、１つの周波数再利用を有するシステムのそれと同程度の干渉を観測してもよく、ダウンリンクに関するＩＥＥＥ８０２．１６ｅに関して良い性能を常に実現できてもよい。しかし、セクタスループットと帯域幅利用とは両方とも、ＩＥＥＥ８０２．１６ｍに関して残りの２０ＭＨｚを用いることにより、ダウンリンクに関して改善されるかもしれない。
【００４９】
アップリンクでは、ＩＥＥＥ８０２．１６ｅと８０２．１６ｍとは、３つの周波数再利用がアップリンクサブフレーム５１４の時間間隔Ｘ ５４６ａ中にＩＥＥＥ８０２．１６ｅに関して実現されうるように、時間領域において多重化されてもよい。これはその後、ＩＥＥＥ８０２．１６ｅの性能を保持してもよい。ＩＥＥＥ８０２．１６ｍは、１つの周波数再利用で十分な性能を提供するために設計されてもよい。よって、３０ＭＨｚシステム帯域幅全体は、アップリンクサブフレーム５１４の時間間隔Ｙ ５４６ｂ中に、ＩＥＥＥ８０２．１６ｍのために用いられてもよい。
【００５０】
図６は、図５に示されるフレーム構造５００を備える、ＩＥＥＥ８０２．１６ｅと８０２．１６ｍとの両方をサポートする、３つのセクタ６０４（すなわち、セクタ１ ６０４ａ、セクタ２ ６０４ｂおよびセクタ３ ６０４ｃ）に関する伝送時系列の例を示す。この例では、セクタ１ ６０４ａは、ＩＥＥＥ８０２．１６ｅに関して周波数チャネルＦ１ ６０６ａで動作する。ＩＥＥＥ８０２．１６ｅに関するダウンリンク伝送５４０ａは、ダウンリンクサブフレーム５１２において周波数チャネルＦ１ ６０６ａで送られ、ＩＥＥＥ８０２．１６ｅに関するアップリンク伝送５４２ａは、アップリンクサブフレーム５１４の時間間隔Ｘ ５４６ａにおいて周波数チャネルＦ１ ６０６ａに送られる。ＩＥＥＥ８０２．１６ｍに関するダウンリンク伝送５４０ｂは、ダウンリンクサブフレーム５１２において周波数チャネルＦ２ ６０６ｂとＦ３ ６０６ｃとで送られ、ＩＥＥＥ８０２．１６ｍに関するアップリンク伝送５４２ｂは、アップリンクサブフレーム５１４の時間間隔Ｙ ５４６ｂにおいて３つの周波数チャネルＦ１ ６０６ａ、Ｆ２ ６０６ｂおよびＦ３ ６０６ｃの全てで送られる。どの伝送も、アップリンクサブフレーム５１４の時間間隔Ｘ５４６ａにおいて周波数チャネルＦ２ ６０６ｂとＦ３ ６０６ｃとで送られない。
【００５１】
セクタ２ ６０４ｂは、ＩＥＥＥ８０２．１６ｅに関する周波数チャネルＦ２ ６０６ｂで動作する。ＩＥＥＥ８０２．１６ｅに関するダウンリンク伝送５４０ａは、ダウンリンクサブフレーム５１２において周波数チャネルＦ２ ６０６ｂで送られ、ＩＥＥＥ８０２．１６ｅに関するアップリンク伝送５４２ａは、アップリンクサブフレーム５１４の時間間隔Ｙ ５４６ａにおいて周波数チャネルＦ２ ６０６ｂで送られる。ＩＥＥＥ８０２．１６ｍに関するダウンリンク伝送５４０ｂは、ダウンリンクサブフレーム５１２において周波数チャネルＦ１ ６０６ａとＦ３ ６０６ｃとで送られ、ＩＥＥＥ８０２．１６ｍに関するアップリンク伝送５４２ｂは、アップリンクサブフレーム５１４の時間間隔Ｙ ５４６ｂにおいて３つの周波数チャネルＦ１ ６０６ａ、Ｆ２ ６０６ｂおよびＦ３ ６０６ｃの全てで送られる。どの伝送も、アップリンクサブフレーム５１４の時間間隔Ｘ ５４６ａにおいて周波数チャネルＦ１ ６０６ａとＦ３ ６０６ｃとで送られない。
【００５２】
セクタ３ ６０４ｃは、ＩＥＥＥ８０２．１６ｅに関する周波数チャネルＦ３ ６０６ｃで動作する。ＩＥＥＥ８０２．１６ｅに関するダウンリンク伝送５４０ａは、ダウンリンクサブフレーム５１２における周波数チャネルＦ３ ６０６ｃで送られ、ＩＥＥＥ８０２．１６ｅに関するアップリンク伝送５４２ａは、アップリンクサブフレーム５１４の時間間隔Ｘ ５４６ａにおいて周波数チャネルＦ３ ６０６ｃで送られる。ＩＥＥＥ８０２．１６ｍに関するダウンリンク伝送５４０ｂは、ダウンリンクサブフレーム５１２において周波数チャネルＦ１ ６０６ａとＦ２ ６０６ｂとで送られ、ＩＥＥＥ８０２．１６ｍに関するアップリンク伝送５４２ｂは、アップリンクサブフレーム５１４の時間間隔Ｙ ５４６ｂにおいて３つの周波数チャネルＦ１ ６０６ａ、Ｆ２ ６０６ｂおよびＦ３ ６０６ｃの全てで送られる。どの伝送も、アップリンクサブフレーム５１４の時間間隔Ｘ ５４６ａにおいて周波数チャネルＦ１ ６０６ａとＦ２ ６０６ｂとで送られない。
【００５３】
図６に示されるように、各セクタ６０４からのダウンリンク伝送５４０は、セクタスループットと帯域幅利用とを改善するために、３つの周波数チャネルＦ１ ６０６ａ、Ｆ２ ６０６ｂおよびＦ３ ６０６ｃの全てで送られる。ＩＥＥＥ８０２．１６ｅのダウンリンクの性能は、１つの周波数再利用で許容できてもよい。しかし、セクタ１ ６０４ａ、セクタ２ ６０４ｂおよびセクタ３ ６０４ｃにおけるＩＥＥＥ８０２．１６ｅに関するアップリンク伝送５４２ａは、３つの異なる周波数チャネルＦ１ ６０６ａ、Ｆ２ ６０６ｂおよびＦ３ ６０６ｃで送られ、互いに干渉しない。３つの周波数再利用は、ＩＥＥＥ８０２．１６ｅに関するアップリンクに関して許容できる性能を確認してもよい。各セクタ６０４におけるＩＥＥＥ８０２．１６ｍに関するアップリンク伝送５４２ｂは、セクタスループットと帯域幅利用とを改善するために、３つの周波数チャネルＦ１ ６０６ａ、Ｆ２ ６０６ｂおよびＦ３ ６０６ｃの全てで送られる。
【００５４】
図６に示される設計では、３つの周波数再利用は、アップリンクサブフレーム５１４の時間間隔Ｘ ５４６ａに関して採用される。別の設計では、部分的な再利用は、時間間隔Ｘ ５４６ａに関して採用されてもよい。例えば、セクタ１ ６０４ａは、隣接セクタ２ ６０４ｂおよび３ ６０４ｃへの過度の干渉をほとんど引き起こさない加入者局からのＩＥＥＥ８０２．１６ｍに関するアップリンク伝送５４２ｂを可能にしてもよい。
【００５５】
図６は、図５のフレーム構造５００が３つの周波数再利用のために用いられる設計を示す。一般に、図５のフレーム構造５００は、１より大きい（例えば、２、３など）任意の周波数再利用ファクタのために用いられてもよい。
【００５６】
図５と図６とに示される設計は、様々な利点を提供してもよい。第１に、ＩＥＥＥ８０２．１６ｅのアップリンク性能は、干渉を回避するか最小限にするために３つの周波数再利用を維持することにより保持されてもよい。第２に、ＩＥＥＥ８０２．１６ｅのダウンリンク性能は、１つの周波数再利用でも十分であってもよい。第３に、改善されたセクタスループットは、１つの周波数再利用でＩＥＥＥ８０２．１６ｍをサポートすることにより実現されてもよい。
【００５７】
図１を簡潔に参照すると、図１に示されるセル１０２は、マクロセル１０２と呼ばれてもよい。マクロセル１０２は、比較的大きなサービスエリア、例えば、約数キロメーター半径のサービスエリアを有するセルである。無線通信システム１００はまた、フェムトセル１４０をサポートしてもよく、マクロセル１０２内の小さな孤立したサービスエリアであってもよい。フェムトセル１４０は、比較的小さなサービスエリアを有するセルである。例えば、フェムトセル１４０は、家、オフィス、店などの中のＩＥＥＥ８０２．１６ｅおよび／または８０２．１６ｍの配置に対応してもよい。一般に、フェムトセル１４０は、マクロセル１０２内のいかなる場所に設置されてもよい。１つのフェムトセル１４０は、例として図１に示される。
【００５８】
本開示の別の態様に従って、フェムトセル１４０は、図５に示されるフレーム構造５００を用いてサポートされてもよい。特に、フェムトセル１４０とマクロセル１０２とに関するダウンリンクは、周波数分割多重されてもよいし、フェムトセル１４０とマクロセル１０２とに関するアップリンクは、時分割多重されてもよい。
【００５９】
ここで参照が図７になされる。図７は、フェムトセルとマクロセルとをサポートするフレーム構造７００の設計を示す。システム帯域幅は、周波数帯Ａ ７４４ａおよび周波数帯Ｂ ７４４ｂとして示された２つの周波数帯７４４に分割されてもよい。フレーム７０８はまた、ダウンリンクサブフレーム７１２とアップリンクサブフレーム７１４とに分割されてもよい。アップリンクサブフレーム７１４は、時間間隔Ｘ ７４６および時間間隔Ｙ ７４６ｂとして示された２つの時間間隔７４６にさらに分割されてもよい。
【００６０】
ダウンリンクに関して、ダウンリンクサブフレーム７１２中に、周波数帯Ａ ７４４ａはマクロセル伝送７４０ａのために用いられてもよく、周波数帯Ｂ ７４４ｂはフェムトセル伝送７４０ｂのために用いられてもよい。マクロセルとフェムトセルとは、ダウンリンク上に、このように周波数帯Ａ ７４４ａとＢ ７４４ｂとでそれぞれ周波数分割多重される。アップリンクに関して、周波数帯Ａ ７４４ａは、アップリンクサブフレーム７１４の時間間隔Ｘ ７４６ａ中にマクロセル伝送７４２ａのために用いられてもよい。周波数帯Ａ ７４４ａとＢ ７４４ｂとの両方は、アップリンクサブフレーム７１４の時間間隔Ｙ ７４６ｂ中にフェムトセル伝送７４２ｂのために用いられてもよい。マクロセルとフェムトセルとは、アップリンク上に、このように時間間隔Ｘ ７４６ａとＹ ７４６ｂとでそれぞれ時分割多重される。
【００６１】
１つの周波数再利用は、マクロセルとフェムトセルとに関するダウンリンクのために用いられてもよい。しかし、マクロセルによって供給される加入者局は、それらがいくつかの（必ずしも全てである必要はない）フェムトセルのサービスエリア内にあるときのみ、ダウンリンクで１つの周波数再利用を経験してもよく、フェムトセルサービスエリアの外側で１よりも大きい周波数再利用を経験してもよい。１より大きい（例えば３つの）周波数再利用は、マクロセルに関するアップリンクのために用いられてもよく、１つの周波数再利用は、フェムトセルに関するアップリンクのために用いられてもよい。
【００６２】
一般に、マクロセルとフェムトセルとは、同じまたは異なるエアインタフェースを利用してもよく、各セルは、任意の適切なエアインタフェースを利用してもよい。一設計では、マクロセルはＩＥＥＥ８０２．１６ｅを利用してもよく、フェムトセルはＩＥＥＥ８０２．１６ｍを利用してもよい。例えば、ＩＥＥＥ８０２．１６ｍは、ＩＥＥＥ８０２．１６ｅが既に存在するときは、フェムトセルサービスを提供するために主に用いられてもよい。この設計では、図７に示されるフレーム構造７００は、図５に示されるフレーム構造５００と一致するだろう。フェムトセルのサービスエリアの外側のＩＥＥＥ８０２．１６ｅ加入者局は、ダウンリンクでの３から１までの周波数再利用ファクタの減少を経験しないだろう。この設計は、フェムトセルのサービスエリアの外側のＩＥＥＥ８０２．１６ｅ加入者局に関するハンドオーバー性能に最小限の影響を与えるかもしれない。その上、フェムトセルのサービスエリア内の８０２．１６ｅ加入者局に関する弱い劣化があるかもしれない。
【００６３】
図８は、本開示に従う通信方法８００の設計を示す。第１および第２エアインタフェースは、フレームのダウンリンクサブフレームにおいて（例えば、それぞれ第１および第２周波数帯で）周波数分割多重（ＦＤＭ）されてもよい（８１２）。第１および第２エアインタフェースは、フレームのアップリンクサブフレームにおいて（例えば、それぞれ第１および第２時間間隔において）時分割多重（ＴＤＭ）されてもよい（８１４）。
【００６４】
一設計では、第１エアインタフェースは、ＩＥＥＥ８０２．１６ｅであってもよく、第２エアインタフェースは、ＩＥＥＥ８０２．１６ｅより後のＩＥＥＥ８０２．１６規格（例えば、ＩＥＥＥ８０２．１６ｍ）であってもよい。第１および第２エアインタフェースはまた、他のエアインタフェースであってもよい。
【００６５】
一設計では、第１周波数帯５４４ａのみが、アップリンクサブフレーム５１４の第１の時間間隔（例えば、時間間隔Ｘ ５４６ａ）中に、第１エアインタフェースのために利用されてもよい。第１周波数帯５４４ａと第２周波数帯５４４ｂとの両方は、アップリンクサブフレーム５１４の第２時間間隔（例えば、時間間隔Ｙ ５４６ｂ）中に、第２エアインタフェースのために利用されてもよい。
【００６６】
第１周波数帯５４４ａは、図６において、セクタ１ ６０４ａに関する周波数チャネルＦ１ ６０６ａ、セクタ２ ６０４ｂに関する周波数チャネルＦ２ ６０６ｂ、またはセクタ３ ６０４ｃに関する周波数チャネルＦ３ ６０６ｃに対応してもよい。第２周波数帯５４４ｂは連続的であってもよく、図６において、セクタ１ ６０４ａに関する周波数チャネルＦ２ ６０６ｂおよびＦ３ ６０６ｃと、セクタ３ ６０４ｃに関する周波数チャネルＦ１ ６０６ａおよびＦ２ ６０６ｂとをカバーしてもよい。第２周波数帯５４４ｂはまた不連続であってもよく、図６においてセクタ２ ６０４ｂに関して周波数チャネルＦ１ ６０６ａとＦ３ ６０６ｃとをカバーしてもよい。
【００６７】
一設計では、１つの周波数再利用は、第１および第２エアインタフェースに関するダウンリンクのために利用されてもよく、１より多い（例えば、３つの）周波数再利用は、第１エアインタフェースに関するアップリンクのために利用されてもよく、１つの周波数再利用は、第２のエアインタフェースに関するアップリンクのために利用されてもよい。
【００６８】
上述した図８の方法８００は、図９に示されたミーンズプラスファンクションブロック９００に対応する１以上のモジュールおよび／または１以上のソフトウェアコンポーネントおよび／または様々なハードウェアによって行なわれてもよい。言いかえると、図８に示されるブロック８１２から８１４までは図９に示されるミーンズプラスファンクションブロック９１２から９１４までに対応する。
【００６９】
図１０は、本開示に従う通信に関する基地局によって行なわれる方法１０００の設計を示す。第１ダウンリンク伝送は、フレームのダウンリンクサブフレームにおける第１周波数帯で送られてもよい（１０１２）。第１アップリンク伝送は、フレームのアップリンクサブフレームの第１時間間隔において第１周波数帯で受信されてもよい（１０１４）。第１ダウンリンク伝送と第１アップリンク伝送とは、第１エアインタフェース（例えば、ＩＥＥＥ８０２．１６ｅ）を利用してもよい。第１エアインタフェースは、ダウンリンクでの第２エアインタフェース（例えば、ＩＥＥＥ８０２．１６ｍ）で周波数分割多重されてもよいし、アップリンクでの第２エアインタフェースで時分割多重されてもよい。第２ダウンリンク伝送は、ダウンリンクサブフレームにおいて第２周波数帯で送られてもよい（１０１６）。第２アップリンク伝送は、アップリンクサブフレームの第２時間間隔において第１および第２周波数帯で受信されてもよい（１０１８）。第２ダウンリンク伝送と第２アップリンク伝送とは、第２エアインタフェースを利用してもよい。
【００７０】
一設計では、１つの周波数再利用は、第１および第２エアインタフェースに関するダウンリンクのために用いられてもよい。第１周波数帯は、ダウンリンクサブフレーム中に第２エアインタフェースに基づいて、ダウンリンク伝送に関する少なくとも１つの隣接セクタによって用いられてもよい。第２周波数帯は、ダウンリンクサブフレーム中に第１エアインタフェースに基づいて、ダウンリンク伝送に関する少なくとも１つの隣接セクタによって用いられてもよい。一設計では、１より大きい（例えば、３つの）周波数再利用は、第１エアインタフェースに関するアップリンクのために用いられてもよい。どの隣接セクタも、アップリンクサブフレームの第１時間間隔中にアップリンク伝送に関する第１周波数帯を用いなくてもよい。一設計では、１つの周波数再利用は、第２エアインタフェースに関するアップリンクのために用いられてもよい。少なくとも１つの隣接セクタは、アップリンクサブフレームの第２時間間隔中に、第２エアインタフェースに基づいてアップリンク伝送に関する第１および第２周波数帯を用いてもよい。
【００７１】
上述された図１０の方法１０００は、図１１に示されたミーンズプラスファンクションブロック１１００に対応する１以上のモジュールおよび／または１以上のソフトウェアコンポーネントおよび／または様々なハードウェアによって行なわれてもよい。言いかえると、図１０に示されるブロック１０１２から１０１８までは、図１１に示されるミーンズプラスファンクションブロック１１１２から１１１８までに対応する。
【００７２】
図１２は、本開示に従う通信に関する加入者局によって行なわれる方法１２００の設計を示す。ダウンリンク伝送は、フレームのダウンリンクサブフレームにおいて第１周波数帯で受信されてもよい（１２１２）。アップリンク伝送は、フレームのアップリンクサブフレームの第１時間間隔における第１周波数帯で送られてもよい（１２１４）。ダウンリンク伝送とアップリンク伝送とは、第１エアインタフェースを利用してもよい。第１エアインタフェースは、ダウンリンクでの第２エアインタフェースで周波数分割多重されてもよく、アップリンクでの第２エアインタフェースで時分割多重されてもよい。
【００７３】
一設計では、第１エアインタフェースはＩＥＥＥ８０２．１６ｅであってもよく、第２エアインタフェースはＩＥＥＥ８０２．１６ｍであってもよい。別の設計では、第１エアインタフェースはＩＥＥＥ８０２．１６ｍであってもよく、第２エアインタフェースはＩＥＥＥ８０２．１６ｅであってもよい。
【００７４】
上述された図１２の方法１２００は、図１３に示されたミーンズプラスファンクションブロック１３００に対応する１以上のモジュールおよび／または１以上のソフトウェアコンポーネントおよび／または様々なハードウェアによって行なわれてもよい。言いかえると、図１２に示されるブロック１２１２から１２１４までは、図１３に示されるミーンズプラスファンクションブロック１３１２から１３１４までに対応する。
【００７５】
図１４は、本開示に従うマクロセルとフェムトセルとに関する通信をサポートする方法１４００の設計を示す。ダウンリンク伝送は、フレームのダウンリンクサブフレームにおいて第２セルと周波数分割多重される第１セルに関して送られてもよい（１４１２）。アップリンク伝送は、フレームのアップリンクサブフレームにおいて第２セルと時分割多重される第１セルに関して受信されてもよい（１４１４）。第１および第２セルは、ダウンリンクサブフレーム中に、第１および第２周波数帯でそれぞれ周波数分割多重されてもよい。第１および第２セルは、アップリンクサブフレームの第１および第２時間間隔においてそれぞれ時分割多重されてもよい。第１セルは、アップリンクサブフレームの第１時間間隔中に、第１周波数帯のみを利用してもよい。第２セルは、アップリンクサブフレームの第２時間間隔中に第１および第２周波数帯を利用してもよい。第１セルはマクロセルであってもよく、第２セルはフェムトセルであってもよい。あるいは、第１セルはフェムトセルであってもよく、第２セルはマクロセルであってもよい。
【００７６】
上述された図１４の方法１４００は、図１５に示されたミーンズプラスファンクションブロック１５００に対応する１以上のモジュールおよび／または１以上のソフトウェアコンポーネントおよび／または様々なハードウェアによって行なわれてもよい。言いかえると、図１４に示されるブロック１４１２から１４１４までは、図１５に示されるミーンズプラスファンクションブロック１５１２から１５１４までに対応する。
【００７７】
図９、１１、１３および１５におけるモジュールは、プロセッサ、メモリ（例えば、メモリに記憶された命令を実行する１以上のプロセッサ）、電子デバイス、ハードウェアデバイス、電子コンポーネント、論理回路など、または任意のそれらの組み合わせを含んでもよい。
【００７８】
図１６は、基地局１１０と加入者局１２０との設計のブロック図を示し、図１における加入者局１２０の１つであり、基地局１１０の１つである。基地局１１０では、送信（ＴＸ）データおよび制御プロセッサ１６１０は、データソース（図示せず）からのトラフィックデータ、および／または、コントローラ／プロセッサ１６４０からの制御情報を受信してもよい。プロセッサ１６１０は、トラフィックデータと制御情報とを処理して（例えば、符号化する、インタリーブする、またシンボルマップする）、変調シンボルを提供してもよい。変調器（ＭＯＤ）１６２０は、変調シンボル（例えば、ＯＦＤＭ、ＣＤＭＡなど）を処理し、出力チップを提供してもよい。送信機（ＴＭＴＲ）１６２２は、出力チップを処理して（例えば、アナログに変換し、増幅し、フィルタし、アップコンバーターする）、アンテナ１６２４を経て送信されてもよいダウンリンク信号を生成してもよい。
【００７９】
加入者局１２０では、アンテナ１６５２は、基地局１１０と他の基地局とからダウンリンク信号を受信してもよく、受信機（ＲＣＶＲ）１６５４に受信信号を提供してもよい。受信機１６５４は、受信信号を調整し（例えば、フィルタし、増幅し、ダウンコンバートし、デジタル化する）、受信サンプルを提供してもよい。復調器（ＤＥＭＯＤ）１６６０は、受信サンプル（例えば、ＯＦＤＭ、ＣＤＭＡなど）を処理して、復調シンボルを提供してもよい。受信（ＲＸ）データおよび制御プロセッサ１６７０は、加入者局１２０に関する復号データと制御情報とを得るために復調シンボルを処理してもよい（例えば、シンボルデマップする、デインターリーブする、および復号する）。
【００８０】
アップリンクでの加入者局１２０では、加入者局１２０によって送られるべきトラフィックデータと制御情報とは、ＴＸデータおよび制御プロセッサ１６９０によって処理され、変調器１６９２によって変調され、送信機１６９４によって調整され、アンテナ１６５２を経て送信される。基地局１１０では、加入者局１２０とあるいは他の加入者局とからのアップリンク信号は、アンテナ１６２４によって受信されてもよく、受信機１６３０によって調整されてもよく、復調器１６３２によって復調されてもよく、加入者局１２０によって送られたデータおよび制御情報を回復するためにＲＸデータおよび制御プロセッサ１６３４によって処理されてもよい。一般に、アップリンク伝送に関する処理は、類似していてもよく、ダウンリンクに関する処理から異なっていてもよい。
【００８１】
コントローラ／プロセッサ１６４０および１６８０は、基地局１１０と加入者局１２０とでそれぞれ動作を指示してもよい。メモリ１６４２および１６８２は、基地局１１０と加入者局１２０とに関するデータおよびプログラムコードをそれぞれ記憶してもよい。スケジューラ１６４４は、ダウンリンクおよび／またはアップリンク伝送に関する加入者局をスケジューリングしてもよく、システムリソースの割り当てを提供してもよい。
【００８２】
図１６におけるプロセッサ１６１０、１６４０、１６３４、１６７０、１６８０および１６９０は、ここに記述された手法に関する様々な機能を行ってもよい。例えば、基地局１１０でのプロセッサ１６１０、１６４０、１６３４は、図８における方法８００、図１０における方法１０００、図１４における方法１４００および／またはここに記述された手法に関する他の方法を実装してもよい。加入者局１２０でのプロセッサ１６７０、１６８０および１６９０は、図１２における方法１２００および／またはここに記述された手法に関する他の方法を実装してもよい。
【００８３】
上の記述においては、参照番号は、ときどき様々な用語とともに用いられている。用語が参照番号とともに用いられる場合、これは図の１以上において示される特定のエレメントを参照することが目的である。用語が参照番号なしで用いられる場合、これは任意の特定の図のために限定のない用語を一般的に参照することが目的である。
【００８４】
用語“決定すること”は、広く様々な動作を包含し、従って、“決定すること”は、計算すること、演算すること、導出すること、詳細に調べること、調べること（looking up）（例えば、テーブル、データベースまたは別のデータ構造を調べること）、確認することなどを含む。また、“決定すること”は、受信すること（例えば、情報を受信すること）、アクセスすること（例えば、メモリにあるデータにアクセスすること）、およびその他のことを含むことができる。また、“決定すること”は、解決すること、選択すること、選ぶこと、確立すること、およびその他のことを含むことができる。
【００８５】
句“に基づいて”は、明示的に特に指定していなければ、“にのみ基づいて”を意味しない。言いかえれば、句“に基づいて”は、“にのみ基づいて”と“に少なくとも基づいて”との両方を記述する。
【００８６】
用語“プロセッサ”は、汎用プロセッサ、中央処理装置（ＣＰＵ）、マイクロプロセッサ、デジタル信号プロセッサ（ＤＳＰ）、コントローラ、マイクロコントローラ、状態機械、などを包含するために広く解釈されるべきである。いくつかの状況下では、“プロセッサ”は、特定用途向け集積回路（ＡＳＩＣ）、プログラマブルロジックデバイス（ＰＬＤ）、フィールドプログラマブルゲートアレイ（ＦＰＧＡ）などを参照してもよい。用語“プロセッサ”は、処理デバイスの組み合わせ、例えば、ＤＳＰとマイクロプロセッサとの組合せ、複数のマイクロプロセッサ、ＤＳＰコアと併せた１以上のマイクロプロセッサ、または任意の他のそのような構成を参照してもよい。
【００８７】
用語“メモリ”は、電子情報を記憶することができる任意の電子コンポーネントを包含するために広く解釈されるべきである。用語“メモリ”は、ランダムアクセスメモリ（ＲＡＭ）、読み取り専用メモリ（ＲＯＭ）、不揮発性ＲＡＭ（ＮＶＲＡＭ）、プログラマブルＲＯＭ（ＰＲＯＭ）、消去可能なプログラマブルＲＯＭ（ＥＰＲＯＭ）、電気的消去可能なプログラマブルＲＯＭ（ＥＥＰＲＯＭ）、フラッシュメモリ、磁気または光学データストレージ、レジスタなどのような様々な種類のプロセッサ読み取り可能な媒体を参照してもよい。プロセッサが、情報をメモリから読み出し、および／または、情報をメモリに書き込むことができる場合に、メモリは、プロセッサと電気的通信をしていると言われている。プロセッサに不可欠なメモリは、プロセッサと電気的通信状態にある。
【００８８】
用語“命令”と“コード”とは、任意の種類の１以上のコンピュータ読み取り可能なステートメントを含めるために広く解釈されるべきである。例えば、用語“命令”と“コード”とは、１以上のプログラム、ルーチン、サブルーチン、機能、手続きなどを参照してもよい。“命令”と“コード”とは、単一のコンピュータ読み取り可能なステートメントまたは多くのコンピュータ読み取り可能なステートメントを含んでもよい。用語“命令”と“コード”とは、ここで区別なく用いられてもよい。
【００８９】
ここに記述された機能は、ハードウェア、ソフトウェア、ファームウェア、または任意のそれらの組み合わせにおいて実装されてもよい。ソフトウェアに実装する場合、機能は、コンピュータ読み取り可能な媒体で１以上の命令として記憶されてもよい。用語“コンピュータ読み取り可能な媒体”は、コンピュータによってアクセスされうる任意の利用可能な媒体を意味する。一例として、コンピュータ読み取り可能な媒体は、ＲＡＭ、ＲＯＭ、ＥＥＰＲＯＭ、ＣＤ−ＲＯＭ、または他の光学ディスクストレージ、磁気ディスクストレージまたは他の磁気ストレージ、または、命令またはデータ構造の形式で所望のプログラムコードを運ぶかまたは記憶するために用いられうり、コンピュータによってアクセスされうる任意の他の媒体を含んでもよい。ここに用いられるようにディスク（ｄｉｓｋ）とディスク（ｄｉｓｃ）とは、コンパクトディスク（ＣＤ）、レーザーディスク（登録商標）、光ディスク、デジタル多用途ディスク（ＤＶＤ）、フロッピー（登録商標）ディスクおよびブルーレイ（登録商標）ディスクを含み、ディスク（ｄｉｓｋ）が通常磁気的にデータを再生する一方、ディスク（ｄｉｓｃ）がレーザで光学的にデータを再生する。
【００９０】
ソフトウェアまたは命令はまた、伝送媒体上で送信されてもよい。例えば、ソフトウェアが、同軸ケーブル、光ファイバーケーブル、ツイストペア、デジタル加入者回線（ＤＳＬ）、または赤外線、無線およびマイクロ波のような無線技術を用いてウェブサイト、サーバまたは他のリモートソースから送られる場合、同軸ケーブル、光ファイバーケーブル、ツイストペア、ＤＳＬ、または赤外線、無線およびマイクロ波のような無線技術は、伝送媒体の定義に含まれる。
【００９１】
ここで開示された方法は、記述された方法を実現するための１以上のステップまたは動作を含む。方法ステップおよび／または動作は、特許請求の範囲から逸脱せずに、互いに代替されてもよい。言いかえれば、ステップまたは動作の特定の順序が、記述されている方法の適切な操作でなければ、特定のステップおよび／または動作の順序および／または利用は、特許請求の範囲から逸脱せずに変更されてもよい。
【００９２】
さらに、図８、１０、１２および１４によって示されたもののように、ここに記述された手法と方法とを行なうモジュールおよび／または他の適切な手段は、ダウンロードされることができ、および／または、そうでなければデバイスから得られることを理解すべきである。例えば、デバイスは、ここに記述された方法を行うための手段の転送を円滑するためにサーバに接続されてもよい。あるいは、ここに記述された様々な方法は、デバイスにストレージ手段を接続するまたは提供する際に、デバイスが様々な方法を得ることができてもよいように、ストレージ手段（例えば、ランダムアクセスメモリ（ＲＡＭ）、読み取り専用メモリ（ＲＯＭ）、コンパクトディスク（ＣＤ）またはフロッピー（登録商標）ディスクのような物理的なストレージ媒体など）を経て提供されることができる。その上、ここに記述された方法と手法とをデバイスに提供するための任意の他の適した手法が、利用されうる。
【００９３】
特許請求の範囲が上述された正確な構成およびコンポーネントに限定されないことを理解すべきである。様々な変更、変化およびバリエーションは、特許請求の範囲から逸脱せずに、ここに記述された装置、方法、システムの詳細および動作、配列においてなされてもよい。
【図１】
2011504068.tif 000003
【図２】
2011504068.tif 000004
【図３】
2011504068.tif 000005
【図４】
2011504068.tif 000006
【図５】
2011504068.tif 000007
【図６】
2011504068.tif 000008
【図７】
2011504068.tif 000009
【図８】
2011504068.tif 000010
【図９】
2011504068.tif 000011
【図１０】
2011504068.tif 000012
【図１１】
2011504068.tif 000013
【図１２】
2011504068.tif 000014
【図１３】
2011504068.tif 000015
【図１４】
2011504068.tif 000016
【図１５】
2011504068.tif 000017
【図１６】
2011504068.tif 000018
【国際調査報告】
2011504068.tif 000019
2011504068.tif 000020